(57)【要約】【課題】  構成部品の個数を少なくして構造を簡素化したシャッター付き電気コネクタを提供する。【解決手段】  プラグの挿抜に連動して挿抜方向に摺動するシャッターを具備している電気コネクタであって、先端部付近を湾曲させて凸部を形成し、この凸部に弾発付勢力を持たせるように屈曲形成した弾性接片が一体形成してある第１のスイッチ用コンタクトと、弾性接片の凸部片端を係止する係止部を先端に形成した固定接片が一体形成してある第２のスイッチ用コンタクトを備え、弾性接片の凸部片端と固定接片の係止部が係止するように第１のスイッチ用コンタクトと第２のスイッチ用コンタクトを配設し、また、シャッターの内側の片端に突起部を設け、プラグが挿入されたときに、この突起部が弾性接片の凸部を押圧して抑止し、固定接片の係止部との係止状態を解除するように配設する。【選択図】  図２
2006302696.tif 000002
【特許請求の範囲】
【請求項１】
プラグの挿抜に連動して挿抜方向に摺動するシャッターを具備している電気コネクタであって、
先端部付近を湾曲させて凸部を形成し、該凸部に弾発付勢力を持たせるように屈曲形成した弾性接片が一体形成してある第１のスイッチ用コンタクトと、
前記弾性接片の凸部片端を係止する係止部を先端に形成した固定接片が一体形成してある第２のスイッチ用コンタクトを備え、
前記弾性接片の凸部片端と前記固定接片の係止部が係止するように前記第１のスイッチ用コンタクトと前記第２のスイッチ用コンタクトを配設し、
また、前記シャッターの内側の片端に突起部を設け、前記プラグが挿入されたときに、該シャッターに設けた前記突起部が前記弾性接片の凸部を押圧して抑止し、前記固定接片の係止部との係止状態を解除するように配設したこと
を特徴とするシャッター付き電気コネクタ。
【請求項２】
前記シャッターと前記突起部を一体成形したこと
を特徴とする請求項１に記載のシャッター付き電気コネクタ。
【発明の詳細な説明】
【技術分野】
【０００１】
本発明は、構成部品の数を低減し、構造を簡素化したシャッター付き電気コネクタに関するものである。
【背景技術】
【０００２】
従来技術の電気コネクタにおいて、相手方の雄コネクタの挿抜に連動してコネクタ挿抜方向に摺動するシャッターと、相手方コネクタの挿抜に連動してオン／オフするスイッチとを具備した電気コネクタがあり、例えば、雄コネクタ１２（相手方コネクタ）の挿抜に連動してコネクタ挿抜方向に摺動するシャッター２０と、雄コネクタ１２の挿抜に連動してオン、オフするスイッチ１４とを具備してなる雌コネクタ１０において、スイッチ１４の操作体（操作本体３０、操作杆３４）をシャッター２０の摺動とは独立して摺動するように構成して、シャッター２０の摺動だけでは摺動せず、雄コネクタ１２の挿抜にのみ連動して摺動し、コンタクト２８、３２を接離させるシャッターとスイッチを具備したコネクタが考案されている（特許文献１参照）。
【特許文献１】特開平９−６３６８５号公報（第３−４頁、図１）
【０００３】
また、上記と同様にシャッター付き電気コネクタであって、図８に示すような電子機器などにおける汎用インターフェースであるＵＳＢ（Universal Serial Bus）規格のプラグなど、平型プラグとの接続に用いられている電気コネクタ（レセプタクル）がある。
【０００４】
ここで、平型プラグと接続するためのシャッター及びスイッチ機構を備えている電気コネクタ（レセプタクル）の一般的な構造について、図３〜図７を参照しながら説明する。
【０００５】
図３に示すシャッター付き電気コネクタ（以下、電気コネクタ）は、プラグと接続するためのコネクタ部２０などが組み込まれたハウジングの上下左右を所定の形状に抜き打ち加工した金属板を屈曲形成したシールドによって包囲してある。
【０００６】
電気コネクタのハウジング上面を覆う上面シールド２には、図３及び図４（ａ）のように、シャッター３０の幅（以下、シャッター幅）を基準とし、このシャッター幅の中心から左右対称で左右それぞれの略中央となる位置に長方形状のガイド孔２ａ，２ｂが形成され、ガイド孔２ａ，２ｂよりも外側でシャッター幅の両端部に該当する正面寄りの位置には、開口部２ｃ／２ｄが形成され、背面側の左右両端には、下方に傾斜を持つ傾斜部２ｅ／２ｆが形成されている。
【０００７】
また、電気コネクタのハウジング正面には、図３及び図４（ｂ）のようにコネクタ２０を現出させるためのプラグ導入口３１と突起部５１を現出させるための切欠部３２が形成されたシャッター３０が取り付けられる。
【０００８】
また、電気コネクタのハウジング側面を覆う側面シールド３、側面シールド４には、それぞれ、図３及び図４（ｃ），（ｄ）のように、電気コネクタを基板などに取り付けるための脚片３ａ、脚片４ａが形成される。
【０００９】
また、図４（ｅ）に示すように、電気コネクタのハウジング下面を覆う下面シールド５には、金属板を屈曲形成して接合したときに互いに入り込むような形状となるように嵌合凹部５ａ、嵌合凸部５ｂが形成されており、シャッター幅の両端部付近に該当する位置には、シャッター３０の掛止部３７ａ，３７ｂを掛止したり、スライドさせるための略長方形状の掛止孔５ｃ，５ｄが形成され、下面シールド５の両端部で正面側寄りの位置には、側面シールド３の脚片３ａ及び側面シールド４の脚片４ａが抜き打ち加工されてできた開口部が形成され、脚片３による開口部と掛止孔５ｃは連なった状態となる。
【００１０】
図５は、ハウジング１０の内部の構造を示す図であり、以下、仕切部１１を境にして、図の左側をスイッチ機構を格納する第１のスペース、図の右側をコネクタ２０及びシャッター３０などを格納する第２のスペースとして説明する。
【００１１】
まず、第１のスペース側について説明する。第１のスペースには、正面及び側面シールド４側に壁面が形成され、更に、この第１のスペースを中央付近で左右に区分する区分壁１２が壁面よりやや低い高さで形成されている。
【００１２】
第１のスペースの区分壁１２の側面シールド４側の空間（以下、左空間）には、側面シールド４側と背面側で連設されたブロック体１３が形成されており、ブロック体１３と正面及び側面シールド４側の壁面と区分壁１２に囲まれて形成された空間にスイッチ用コイルバネ５２を格納して、側面シールド４側の壁面とブロック１３との間の空隙にスイッチ用コイルバネ５２の一方の先端部を狭入させてスイッチ用コイルバネ５２を立設させ、スイッチ用コイルバネ５２のもう一方の先端部は、区分壁１２の上部を越えて、区分壁１２の第２のスペース側の空間（以下、右空間）に配置されるスライダ５０のバネ係止部５０ａに係止される。
【００１３】
一方、第１のスペースの右空間（第２のスペース側）の底部には、図６の断面図に示すように、スイッチ用コンタクト５４ａ，５４ｂが取り付けられており、スイッチ用コンタクト５４ａ，５４ｂの先端部がハウジング１０の底部と正面の壁面から底部と平行に設けられた突設部１０ａに狭入されて取り付けられている。
【００１４】
スイッチ用コンタクト５４ａ，５４ｂには、上述の先端部から少し延出した部分を上方に湾曲させた凸面が形成されており、この凸面が可動コンタクト５３との接触面となる。また、ハウジング１０からの突出する先端部分を屈曲させた脚部が形成されている。
【００１５】
また、スイッチ用コンタクト５４ａ，５４ｂの上部には、図６の断面図に示すように、上部が長く、下部が短いコの字形の空間が形成されたスライダ５０が配設され、スライダ５０のコの字形空間には、この空間嵌合するように湾曲形成された可動コンタクト５３が嵌入され、空間の下部から延出した部分を下方に湾曲した凸部が形成されており、この凸部がスイッチ用コンタクト５４ａ，５４ｂの凸面と接触するようになっている。
【００１６】
更に、スライダ５０の右側面には、シャッター３０の切欠部３２に遊嵌して現出するように、第２スペース側に連通する突起部５１が連設されている（図３及び図４（ａ）,（ｂ）参照）。
【００１７】
また、第１のスペースの背面には、図４（ｆ）に示すように、スイッチ用コンタクト５４ａ，５４ｂの脚部を現出させるための開口部を形成した防塵シート８が取り付けられる。
【００１８】
続いて、第２のスペース側について説明する。第２のスペースには、シャッター３０に適合した幅に形成されており、一方の側面は第１のスペースと連通し、第１のスペースに配置されるスライダ５０に連設された突起部５１がシャッター３０の切欠部３２から現出する状態で配設され、他方の側面は壁面がなく側面シールド３が嵌め込まれるようになっている。そして、正面にはシャッター３０が取り付けられ、底部には、プラグと電気的に接続するために、絶縁部材などに導電性を持った金属で形成した複数のコンタクト（端子）２１が所定のピッチで配設されたコネクタ２０が取り付けられる。
【００１９】
また、第２のスペースの背面側には、下部にコネクタ２０のコンタクト（端子）２１の脚部を現出させるための開口部が形成され、内側の左右両端付近にコイルバネ４０ａ，４０ｂを駐止させるためにくり抜かれたバネ駐止部（図示せず）が形成されたコネクタ取付部１４が設けられており、更に、コネクタ取付部１４の上部には、一部を内部側に突出させたブロック形状のバネ抑止／ストッパ部１５ａ，１５ｂが連設されている。
【００２０】
バネ抑止／ストッパ部１５ａ，１５ｂは、シャッター３０に設けられたガイド部３３を遊嵌するようにコネクタ取付部１４上部の左右両端に配設され、その上面部にシャッター３０のストッパ３４ａ，３４ｂが当接する矩形凹部１６ａ，１６ｂが形成され、その外側に、上面シールド２の傾斜部２ｅ／２ｆと適合する傾斜部１７ａ，１７ｂが形成され、底部にはコネクタ取付部１４のバネ駐止部（図示せず）とともにコイルバネ４０ａ，４０ｂを駐止させるための半円上にくり抜かれたバネ拘止部１８ａ，１８ｂが形成されている。
【００２１】
シャッター３０は、下部にコネクタ２０を現出させるプラグ導入口３１が形成され、第１のスペース側の側部にスライダ５０と連設されている突起部５１を現出させるための切欠部３２が形成されており、シャッター３０の内側となる壁面（以下、内壁面）には、ガイド部３３、ストッパ３４ａ，３４ｂ、円錐凸部３６ａ，３６ｂ、掛止部３７ａ，３７ｂが背面に向かって突設されている。
【００２２】
ガイド部３３は、シャッター３０上部の略中央位置に矩形状に形成されており、プラグが差し込まれてゆくとバネ抑止／ストッパ部１５ａとバネ抑止／ストッパ部１５ｂの間に遊嵌される。  
【００２３】
また、ストッパ３４ａ，３４ｂは、シャッター３０の上部で、バネ抑止／ストッパ部１５ａ，１５ｂの矩形凹部１６ａ，１６ｂと対向する位置に形成され、プラグが完全に差し込まれると矩形凹部１６ａ，１６ｂに当接してシャッター３０の動きを停止させる。
【００２４】
また、円錐凸部３６ａ，３６ｂは、円錐形状のブロック体であり、シャッター３０の内壁面に形成されているコイルバネ４０ａ，４０ｂの一方の端部を係止するための円形凹部３５ａ，３５ｂの中から背面に向かって突設され、バネ抑止／ストッパ部１５ａ，１５ｂのバネ拘止部１８ａ，１８ｂと対向する位置に形成される。
【００２５】
また、掛止部３７ａ，３７ｂは、シャッター３０のプラグ導入口３１の左右に位置し、プラグが差し込まれていないときにコイルバネ４０ａ，４０ｂに押圧されているシャッター３０を下面シールド５の掛止孔５ｃ，５ｄに掛止しておくためカギ状に形成されている（図４（ｅ）参照）。
【００２６】
コイルバネ４０ａ，４０ｂは、一方の端部をシャッター３０に形成された円形凹部３５ａ，３５ｂ及び円錐凸部３６ａ，３６ｂによって係止され、他方の端部がコネクタ取付部１４のバネ駐止部（図示せず）に当接して駐止し、上部からバネ抑止／ストッパ部１５ａ，１５ｂのバネ拘止部１８ａ，１８ｂによって抑止されることによって第２のスペース内に格納される。
【００２７】
このような構造を持つ電気コネクタ（レセプタクル）において、プラグが差し込まれていない状態では、図６に示すように、スライダ５０に嵌挿されている可動コンタクト５３の凸部が固定コンタクト５４ａ，５４ｂの凸面上にあり、固定コンタクト５４ａと固定コンタクト５４ｂが接続状態（クローズ）でスイッチはオフになっている。
【００２８】
このような状態の電気コネクタ（レセプタクル）に対して、プラグを差し込むと、プラグが当接するシャッター３０及び突起部５１が内側に押し込まれてコイルバネ４０ａ，４０ｂが収縮し、プラグが電気コネクタ（レセプタクル）の内部に挿入されてゆく。
【００２９】
このとき、突起部５１と連設しているスライダ５０も連動して背面側に押し込まれ、スライダ５０のバネ係止部５０ａに係止されているスイッチ用コイルバネ５２が押圧されることによって、スライダ５０に嵌挿されている可動コンタクト５３の凸部が固定コンタクト５４ａ，５４ｂの凸面上を背面方向へ摺動してゆく。
【００３０】
更にプラグを差し込んでゆくと、シャッター３０のガイド部３３がハウジング１０の背面に形成されているバネ抑止／ストッパ部１５ａとバネ抑止／ストッパ部１５ｂの間に嵌挿され、シャッター３０のストッパ３４ａ，３４ｂがバネ抑止／ストッパ部１５ａ，１５ｂに形成されている矩形凹部１６ａ，１６ｂに当接してシャッター３０の動作が停止し、プラグが完全に差し込まれた状態になる。
【００３１】
また、プラグが完全に差し込まれた状態になると、突起部５１とこれに連設しているスライダ５０も背面側に押圧されて抑止された状態となり、スライダ５０に嵌挿されている可動コンタクト５３の凸部が固定コンタクト５４ａ，５４ｂの凸面上から外れ、固定コンタクト５４ａと固定コンタクト５４ｂが非接続状態（オープン）となってスイッチがオンとなり、プラグと電気コネクタが接続状態となる。
【００３２】
一方、上記とは逆に電気コネクタに差し込まれたプラグを引き抜くと、コイルバネ４０ａ，４０ｂが伸張してシャッター３０を正面方向に押し出すとともに、プラグで抑止されていたスイッチ用コイルバネ５２がスライダ５０を正面方向に押し返すことで、スライダ５０及び突起部５１が正面方向へ押し戻されてゆく。
【００３３】
これに伴って、スライダ５０に嵌挿されている可動コンタクト５３も正面方向に移動し、可動コンタクト５３の凸部が固定コンタクト５４ａ，５４ｂの凸面と当接して凸面上に押し上げられ、再び固定コンタクト５４ａと固定コンタクト５４ｂが接続状態（クローズ）に戻ってスイッチがオフになる。
【００３４】
このようにして、プラグが電気コネクタに挿抜されると、電気コネクタのシャッター及びスライダが連動し、これに伴ってスライダに挿嵌された可動コンタクトが摺動して、固定コンタクト５４ａ，５４ｂを接触または非接触状態とすることによってスイッチのオン・オフが行われる。
【発明の開示】
【発明が解決しようとする課題】
【００３５】
しかしながら、上述したシャッター付き電気コネクタ（レセプタクル）では、スイッチをオン・オフするためだけにスイッチ用コイルバネやスライダが必要となるため、コストがかかり、内部構造が複雑になってしまう。また、組み立てるときに手間がかかり、シャッターの一部に切欠部を形成するなどの加工も必要になるという問題がある。
【００３６】
従って、プラグの挿抜に連動して電気的接続をオン・オフするシャッター付き電気コネクタにおいて、構成部品を減らして構造を簡素化することに解決しなければならない課題を有する。
【課題を解決するための手段】
【００３７】
前記課題を解決するため、本発明に係るシャッター付き電気コネクタは、次のような構成にする。
【００３８】
プラグの挿抜に連動して挿抜方向に摺動するシャッターを具備している電気コネクタであって、先端部付近を湾曲させて凸部を形成し、該凸部に弾発付勢力を持たせるように屈曲形成した弾性接片が一体形成してある第１のスイッチ用コンタクトと、前記弾性接片の凸部片端を係止する係止部を先端に形成した固定接片が一体形成してある第１のスイッチ用コンタクトを備え、前記弾性接片の凸部片端と前記固定接片の係止部が係止するように前記第１のスイッチ用コンタクトと前記第２のスイッチ用コンタクトを配設し、また、前記シャッターの内側の片端に突起部を設け、前記プラグが挿入されたときに、該シャッターに設けた前記突起部が前記弾性接片の凸部を押圧して抑止し、前記固定接片の係止部との係止状態を解除するように配設する。
【００３９】
上記構成によって、プラグの挿抜に連動してシャッターが摺動すると、シャッターの内側に設けた突起部が第１のスイッチ用コンタクトの弾性接片と第２のスイッチ用コンタクトの固定接片との係止状態を解除したり、回復させることで、電気的接続をオン・オフさせることが可能となる。
【発明の効果】
【００４０】
本発明のシャッター付き電気コネクタは、内側に突起部を設けたシャッターが従来の電気コネクタにおけるスライダ及びスライダに連設された突起部の役割を兼ねるので、従来の電気コネクタに必要であったスイッチ用コイルバネ、スライダ、スライダに連設する突起部などの部品が不要となり、構成部品が減少してコストが低減し、内部構造も簡素化され、また、組立工程も簡単になるという優れた効果を奏するものである。
【発明を実施するための最良の形態】
【００４１】
次に、本発明のシャッター付き電気コネクタによる実施の形態について図面を参照して説明する。但し、図面は専ら解説のためのものであって、本発明の技術的範囲を限定するものではない。
【実施例】
【００４２】
まず、本発明のシャッター付き電気コネクタの構造を図１に示す電気コネクタを例にして説明する。なお、理解を容易にするため、従来のシャッター付き電気コネクタ（図３〜７）と同等となる部分には同一の符号を付して説明する。
【００４３】
図１はシャッター付き電気コネクタ（以下、電気コネクタ）の外観を示すもので、プラグと電気的に接続されるコネクタ部やシャッター及びスイッチ機構を組み込むためのハウジングの上下左右がシールドによって包囲してある。
【００４４】
図１（ａ）の平面図に示すように、電気コネクタのハウジングの上面は、シールド（以下、上面シールド２）で覆われ、シャッター３０の幅（以下、シャッター幅）を基準とし、このシャッター幅の中心から左右対称で左右それぞれの略中央となる位置に長方形状のガイド孔２ａ，２ｂが形成され、背面側の左右両端には、下方に傾斜を持つ傾斜部２ｅ／２ｆが形成されている。
【００４５】
また、図１（ｂ）の正面図に示すように、電気コネクタのハウジングの正面は、コネクタ２０を現出させるプラグ導入口３１が設けられたシャッター３０が取り付けられ、電気コネクタのハウジング左側面は、図１（ｃ）の左側面図のようにシールド（以下、側面シールド３）で覆われ、基板などに取り付けるための脚片３ａが形成され、電気コネクタのハウジング右側面は、図１（ｄ）の右側面図に示すようにシールド（以下、側面シールド４）に覆われ、基板などに取り付けるための脚片４ａが形成されている。
【００４６】
また、図１（ｅ）の底面図に示すように、電気コネクタのハウジングの底面は、シールド（以下、下面シールド５）で覆われており、シャッター３０の左右両端部付近に該当する位置には、シャッター３０の掛止部３７ａ，３７ｂを掛止したり、スライドさせるための略長方形状の掛止孔５ｃ，５ｄが形成されている。
【００４７】
更に、下面シールド５の両端部で正面寄りの位置には、側面シールド３の脚片３ａ及び側面シールド４の脚片４ａが抜き打ち加工されてできた開口部が形成され、脚片３による開口部と掛止孔５ｃは連なっている。
【００４８】
また、電気コネクタのハウジングの背面には、スイッチ用コンタクト５４ａ，５４ｂの脚部を現出させるための開口部を形成した防塵シート８が取り付けられる。
【００４９】
図２は、電気コネクタの内部構造を簡略化して示した図であり、図１（ａ）の平面図の方向から見たときの内部構造である。なお、以下、図２に示した二点鎖線より右側を第１のスペース、左側を第２のスペースとして説明する。
【００５０】
まず、第１のスペース側の内部構造について説明する。第１のスペースの正面及び側面シールド４側には壁面が形成されており、また、もう一方の側面は第２のスペースと連通し、ハウジングの底部には、基板と接続するための脚部が形成されたスイッチ用コンタクト５４ａ，５４ｂが取り付けられている。
【００５１】
スイッチ用コンタクト５４ａには、脚部に対して直角に屈曲され、脚部から正面方向にまっすぐに延出し、正面の壁面手前で第２のスペース側に突出するように屈曲させて弾性付勢力を持つようにし、更に、先端部付近を第１のスペース側に湾曲させて形成した凸部５５を有する弾性接片５６が一体形成されている。
【００５２】
また、スイッチ用コンタクト５４ｂには、脚部に対して直角に屈曲され、脚部から正面方向に向かってまっすぐに延出し、弾性接片５６の長さの１／２程度のところで先端をスイッチ用コンタクト５４ａ側に曲げて形成した係止部５７を持つ固定接片５８が一体形成されている。
【００５３】
そして、スイッチ用コンタクト５４ａに一体形成された弾性接片５６の凸部の片端とスイッチ用コンタクト５４ｂに一体形成された固定接片５８の係止部５７が係止状態となるように配設する。
【００５４】
続いて、第２のスペース側の内部構造について説明する。第２のスペースは、コネクタ２０やシャッター３０などを格納するためのスペースであり、シャッター３０に適合した幅に形成されており、一方の側面は第１のスペースと連通し、第１のスペース側に配設されているスイッチ用コンタクト５４ａに一体形成された弾性接片５６の凸部５５が突出した状態となり、他方の側面は壁面がなく側面シールド３が嵌め込まれるようになっている。
【００５５】
第２のスペースの正面にはシャッター３０が取り付けられ、底部には、プラグと電気的に接続するために、絶縁部材などに導電性を持った金属で形成した複数のコンタクト（端子）２１が所定のピッチで配設されたコネクタ２０が取り付けられる。
【００５６】
また、第２のスペースの背面側には、下部にコネクタ２０のコンタクト（端子）２１の脚部を現出させるための開口部が形成され、内側の左右両端付近にコイルバネ４０ａ，４０ｂを駐止させるためにくり抜かれたバネ駐止部（図示せず）が形成されたコネクタ取付部１４が設けられる。
【００５７】
なお、図示していないが、コネクタ取付部１４の上部には、一部を内部側に突出させたブロック形状のバネ抑止／ストッパ部１５ａ，１５ｂが連設されている。（詳細は図５参照）。
【００５８】
シャッター３０は、下部にコネクタ２０を現出させるプラグ導入口３１（図１（ｂ）参照）が形成され、内壁面には、円錐凸部３６ａ，３６ｂ、突起部３８が背面に向かって突設されている。また、図示してないが、シャッター３０の内側となる壁面（以下、内壁面）には、ガイド部３３、ストッパ３４ａ，３４ｂ、円錐凸部３６ａ，３６ｂ、掛止部３７ａ，３７ｂが背面に向かって突設されている（詳細は図５参照）。
【００５９】
シャッター３０の円錐凸部３６ａ，３６ｂは、円錐形状のブロック体であり、シャッター３０の内壁面に形成されているコイルバネ４０ａ，４０ｂの一方の端部を係止するための円形凹部３５ａ，３５ｂの中から背面に向かって突設され、図示していないが、バネ抑止／ストッパ部１５ａ，１５ｂのバネ拘止部１８ａ，１８ｂと対向する位置に形成される（詳細は図５、６参照）。
【００６０】
また、シャッター３０の第１のスペース側の端部（図中の右端）には、一体成形された突起部３８が背面に向かって突設されており、プラグの挿入によりシャッター３０が押し込まれてゆくと、突起部３８がスイッチ用コンタクト５４ａに一体形成された弾性接片５６の凸部５５を第１のスペース側へ押圧し、スイッチ用コンタクト５４ｂに一体形成された固定接片５８の係止部５７との係止を解除した状態で抑止する。
【００６１】
また、シャッター３０の掛止部３７ａ，３７ｂは、シャッター３０のプラグ導入口３１の左右に位置し、プラグが差し込まれていないときにコイルバネ４０ａ，４０ｂに押圧されているシャッター３０を下面シールド５の掛止孔５ｃ，５ｄに掛止しておくためカギ状に形成されている（図１（ｅ）参照）。
【００６２】
コイルバネ４０ａ，４０ｂは、一方の端部をシャッター３０に形成された円形凹部３５ａ，３５ｂ及び円錐凸部３６ａ，３６ｂによって係止され、他方の端部がコネクタ取付部１４のバネ駐止部１９ａ，１９ｂに当接し、上部から図示していないバネ抑止／ストッパ部１５ａ，１５ｂに形成されているバネ拘止部１８ａ，１８ｂによって抑えられて第２のスペース内に格納される（詳細は図５、６参照）。
【００６３】
このような構造を持つ電気コネクタ（レセプタクル）において、プラグが差し込まれていない状態では、図２に示すように、固定接片５８の係止部５７と弾性接片５６の凸部５５の片端が係止された状態となっており、固定コンタクト５４ａと固定コンタクト５４ｂが接続状態（クローズ）でスイッチはオフになっている。
【００６４】
このような状態の電気コネクタ（レセプタクル）に対して、プラグを差し込むと、プラグに当接するシャッター３０が内側に押し込まれてコイルバネ４０ａ，４０ｂが収縮し、プラグが電気コネクタ（レセプタクル）内部に挿入されてゆく。
【００６５】
このとき、シャッター３０に一体成形で突設されている突起部３８も押し込まれてゆき、この突起部３８と第２のスペース側に突出している弾性接片５６の凸部５５が当接し、弾性接片５６が第１のスペース側に押圧される。
【００６６】
そして、プラグが完全に差し込まれた状態になると、シャッター３０に突設された突起部３８によって第１のスペース側に押圧された弾性接片５６と固定接片５８との係止状態が解除され、突起部３８によって弾性接片５６が抑止された状態となり、固定コンタクト５４ａと固定コンタクト５４ｂが非接続状態（オープン）となってスイッチがオンとなり、プラグと電気コネクタが接続状態となる。
【００６７】
一方、上記とは逆に電気コネクタに差し込まれたプラグを引き抜くと、コイルバネ４０ａ，４０ｂが伸張してシャッター３０を正面方向に押し出し、これに伴ってシャッター３０に突設されている突起部３８が正面方向に移動し、突起部３８の押圧によって抑止されていた弾性接片５６が元の状態（第２のスペース側に突出した状態）に戻り、弾性接片５６の凸部５５の片端と固定接片５８の係止部５７が係止した状態となり、再び固定コンタクト５４ｂが接続状態（クローズ）になってスイッチがオフになる。
【００６８】
上述したように、シャッター付き電気コネクタは、プラグの挿抜に連動して摺動するシャッター３０に突設されている突起部３８によって、固定コンタクト５４ａに一体形成されている弾性接片５６と固定コンタクト５４ｂに一体形成されている固定接片５８との係止状態を解除したり、回復させることで電気的接続のオン・オフを行うので、従来の電気コネクタ（図３〜図７参照）におけるスイッチ用コイルバネ５２やスライダ５０、スライダに連設する突起部５１が不要となる。
【図面の簡単な説明】
【００６９】
【図１】本発明に係るシャッター付き電気コネクタの一実施例を説明するための説明図である。
【図２】図１に示すシャッター付き電気コネクタの内部構造を説明するための説明図である。
【図３】従来のシャッター付き電気コネクタの一実施例を示した外観図である。
【図４】図３に示す従来のシャッター付き電気コネクタの構成を説明するための説明図である。
【図５】図３及び図４に示す従来のシャッター付き電気コネクタの内部構造を説明するための説明図である。
【図６】図３及び図４に示す従来のシャッター付き電気コネクタにおけるスイッチ機構を説明するための説明図である。
【図７】図３及び図４に示す従来のシャッター付き電気コネクタにおけるシャッターの取り付け構造を説明するための説明図である。
【図８】ＵＳＢ（Universal Serial Bus）規格のプラグの一例を示した説明図である。
【符号の説明】
【００７０】
２；上面シールド
２ａ，２ｂ；ガイド孔
２ｃ／２ｄ；開口部
２ｅ／２ｆ；傾斜部
３；側面シールド
３ａ；脚片
４；側面シールド
４ａ；脚片
５；下面シールド
５ａ；嵌合凹部
５ｂ；嵌合凸部
５ｃ，５ｄ；掛止孔
８；防塵シート
１０；ハウジング
１０ａ；突起部
１１；仕切部
１２；区分壁
１３；ブロック体
１４；コネクタ取付部
１５ａ，１５ｂ；バネ拘止／ストッパ部
１６ａ，１６ｂ；矩形凹部
１７ａ，１７ｂ；傾斜部
１８ａ，１８ｂ；バネ拘止部
１９ａ，１９ｂ；バネ駐止部
２０；コネクタ部
２１；コンタクト（端子）
３０；シャッター
３１；プラグ導入口
３２；切欠部
３３；ガイド部
３４ａ，３４ｂ；ストッパ
３５ａ，３５ｂ；円形凹部
３６ａ，３６ｂ；円錐凸部
３７；掛止部
３８；突起部
４０ａ，４０ｂ；コイルバネ
５０；スライダ
５０ａ；バネ係止部
５１；突起部
５２；スイッチ用コイルバネ
５３；可動コンタクト
５４ａ，５４ｂ；スイッチ用コンタクト
５５；凸部
５６；弾性接片
５７；係止部
５８；固定接片
【図１】
2006302696.tif 000003
【図２】
2006302696.tif 000004
【図３】
2006302696.tif 000005
【図４】
2006302696.tif 000006
【図５】
2006302696.tif 000007
【図６】
2006302696.tif 000008
【図７】
2006302696.tif 000009
【図８】
2006302696.tif 000010